(57)【要約】【課題】放光口から放射される光の照射面における明るさを均一化させるライン状照明装置を提供する。【解決手段】内面が鏡面２０で一方端が開放された中空部材２で構成された光伝送路からなり、光源１からの光を上記鏡面２０で反射させて中空部材２内を伝送し、中空部材２内に設けられた複数の小孔から外部に放射するライン状照明装置において、上記小孔の開孔面積が中空部材２内を伝送される光の進行方向に向かって逓増するように設けられている。これにより、中空部材２の奥に行くに従って外部に照射される光の量が減少することがなく、明るさを均一化することができる。また、ライン状照明装置をＬ字状、コの字状に形成することにより、複数のライン状照明装置を連結して、長い光源を構成することもできる。【選択図】図１
0003150963.tif 000002
【実用新案登録請求の範囲】
【請求項１】
内面が鏡面で一方端または両端が開放された中空部材で構成された光伝送路からなり、その開放された一方端または両端に光源を有し、上記中空部材に複数の小孔が形成され、上記光源からの光を上記鏡面で反射させて中空部材内を伝送し、上記小孔から外部に放射するライン状照明装置であって、
上記小孔の開孔面積が上記中空部材内を伝送される光の進行方向に向かって逓増するように設けられている
ことを特徴とするライン状照明装置。
【請求項２】
内面が鏡面で一方端または両端が開放された中空部材で構成された光伝送路からなり、上記中空部材の一方端または両端が直角状に折り曲がっており、該折り曲げられた中空部材の端部に光源が設けられており、上記中空部材に複数の小孔が形成され、上記光源からの光を上記鏡面で反射させて中空部材内を伝送し、上記小孔から外部に放射するライン状照明装置であって、
上記小孔の開孔面積が上記中空部材内を伝送される光の進行方向に向かって逓増するように設けられている
ことを特徴とするライン状照明装置。
【請求項３】
上記中空部材の上記小孔が形成された部分がライン状に連結されている
ことを特徴とする請求項２に記載のライン状照明装置。
【請求項４】
上記中空部材の折り曲げられた部分に、斜めに反射板が設けられ、
上記斜めに設けられた反射板に小孔が設けられている
ことを特徴とする請求項２または３記載のライン状照明装置。
【考案の詳細な説明】
【技術分野】
【０００１】
本考案は、光を放射する小孔が設けられた内面が鏡面の光伝送路を有し、上記小孔から放射される光の照射面における明るさを均一化させるライン状照明装置に関する。
【背景技術】
【０００２】
１または２の光源を用いて、長い領域に渡りライン状の光を放射する照明装置（以下このような照明装置をライン状照明装置と呼ぶこととする）は、例えばトンネル内や通路などの照明に好適である。
図８は、従来のライン状照明装置の構成例を示す図である。図８に示すように、ライン状照明装置は、内面が鏡面に形成された中空部材１００に放光口１０１を設け、例えば中空部材１００の２つの開放端の一方に光源１０３を設けたものである。光源１０３を中空部材１００の両開放端に設けてもよい。光源１０３から出た光は、中空部材１００の内面の鏡面で反射しながら中空部材１００内を搬送され、放光口１０１から外部に放射される。
【０００３】
上記ライン状照明装置としては、例えば特許文献１に記載のものが知られている。例えば、特許文献１には、透光性を有するとともに内面に導光性を有する導光材を配したパイプを使用して、光源からの光を遠方に導きつつその経路途中で光を徐々に放射するライトガイド型照明装置に関して記載されている。該ライトガイド型照明装置には、パイプの肉厚部の環状端面に光が入射するのを防ぐ遮光材が設けられている。
【先行技術文献】
【特許文献】
【０００４】
【特許文献１】特開２００１−１５５５０４号公報
【考案の概要】
【考案が解決しようとする課題】
【０００５】
しかし、図８に示すような従来のライン状照明装置においては、光源１０３で発せられた光が、中空部材１００の奥に進むに従って弱くなり、場所によって明るさに差が生じ、放光口１０１から放射される光の照射面の明るさが均一にならないといった問題があった。これは次の理由によるものと考えられる。
（１）光源１０３から発せられた光は、中空部材１００の内面で反射を繰り返して中空部材１００内を進行するが、反射毎に減衰を避けられない。
（２）光源１０３から発せられた光は、適宜放光口１０１から放射していくので、中空部材１００の奥に進むに従って光量が減少する。
以上のように、従来のライン状照明装置においては、ライン状照明装置が備える中空部材１００の奥に行くに従って光量が減少し、このため、光源１０３が設けられた開放端に近いところと、中空部材１００の最奥部に近いところで明るさに差が生ずるといった問題があった。
一方、上記ライン状照明装置は、一方端、あるいは両端に設けられた光源から光を搬送して放光口１０１から放射させるものであり、中空部材１００の長さが長くなると十分な明るさを得ることができない。そこで、複数のライン状照明装置を、ライン状に連結して、長い光源を得ることが考えられるが、従来のライン状照明装置は、複数の照明装置を連結して使用するに好適な構造を有していなかった。
本考案は、上記した事情を考慮してなされたものであって、その目的は、外部に放射される光の照射面における明るさを均一化させることができ、また、複数のライン状照明装置を連結して、長い光源を得ることができるライン状照明装置を提供することである。
【課題を解決するための手段】
【０００６】
上記課題を、本考案においては次のように解決する。
（１）内面が鏡面で一方端または両端が開放された中空部材で構成された光伝送路からなり、その開放された一方端または両端に光源を有し、上記中空部材に複数の小孔が形成され、上記光源からの光を上記鏡面で反射させて中空部材内を伝送し、上記小孔から外部に放射するライン状照明装置を設ける。上記小孔の開孔面積が上記中空部材内を伝送される光の進行方向に向かって逓増するように設けられている。
（２）内面が鏡面で一方端または両端が開放された中空部材で構成された光伝送路からなり、上記中空部材の一方端または両端が直角状に折り曲がっており、該折り曲げられた中空部材の端部に光源を設ける。そして、上記中空部材に複数の小孔を形成し、上記光源からの光を上記鏡面で反射させて中空部材内を伝送し、上記小孔から外部に放射するように構成する。上記小孔の開孔面積は上記中空部材内を伝送される光の進行方向に向かって逓増するように設けられる。
（３）上記（２）において、中空部材の上記小孔が形成された部分がライン状に連結されている。
（４）上記中空部材の折り曲げられた部分に、斜めに光反射板が設けられ、上記斜めに設けられた光反射板に小孔が設けられている。
【考案の効果】
【０００７】
本考案においては、以下の効果を得ることができる。
（１）本考案のライン状照明装置においては、中空部材内を反射しながら進む光を外部に照射する小孔の開孔面積が中空部材内を伝送される光の進行方向に向かって逓増するように設けられている。従って、本考案によれば、中空部材の奥に行くに従って外部に照射される光の量が減少することがなく、明るさを均一化することができる。
（２）本考案のライン状照明装置においては、上記中空部材の一方端または両端が直角状に折り曲げられている。したがって、このライン状照明装置を単独で使用することもできるし、また必要に応じて、複数本のライン状照明装置を連結して任意の長さの光源を構成することができる。
このため、光伝送路を長くして、広い範囲に光を照射することができる。また、上記小孔の開孔面積が中空部材内を伝送される光の進行方向に向かって逓増するように設けられているので、外部に照射される光の照射範囲の明るさを均一化することができる。
（３）本考案のライン状照明装置においては、上記（２）の中空部材の折り曲げられた部分に、斜めに光反射板が設けられ、上記斜めに設けられた光反射板に小孔が設けられている。従って、本考案によれば、光源から出た光を効率的に利用することができ、かつ、光反射板が設けられた中空部材の折れ曲がり部分が暗くなることを防止することができる。
【図面の簡単な説明】
【０００８】
【図１】本考案の第１の実施の形態のライン状照明装置の構成を示す図である。
【図２】ライン状照明装置の中空部材に形成されたパンチングメタルの例を示す図（１）である。
【図３】本考案の第２の実施の形態のライン状照明装置の構成を示す図である。
【図４】ライン状照明装置の中空部材に形成されたパンチングメタルの例を示す図（２）である。
【図５】本考案の第３の実施の形態のライン状照明装置の構成を示す図である。
【図６】本考案の第４の実施の形態のライン状照明装置の構成を示す図である。
【図７】本考案のライン状照明装置の変形例を示す図である。
【図８】従来のライン状照明装置の構成例を示す図である。
【考案を実施するための形態】
【０００９】
図１は、本考案の第１の実施の形態のライン状照明装置の構成を示す図であり、長手方向の軸を通る平面で切った断面図を示している。
図１において、１は光源、２は円筒形状の中空部材、１０は光源用リフレクタである。中空部材２の内面は鏡面２０で構成されている。
図１に示す例では、中空部材２の一方端が開放されており、その開放された一方端に光源１が設けられている。更に、中空部材２は例えばパンチングメタルで構成され、端部を除く円周部分に複数の小孔が形成されている。上記複数の小孔を、例えば中空部材２の円周部分の全面、すなわち、中空部材２の軸回りの３６０°の範囲に設けるようにしてもよいし、中空部材２の円周部分の一部（例えば、その軸回りの１８０°、９０°の範囲内）に設けるようにしてもよい。光源１から出た光は中空部材２の内面の鏡面２０で反射しながら中空部材２内を搬送され、中空部材２に形成された小孔から外部に放射される。すなわち、中空部材２は光伝送路を構成する。
【００１０】
図２（Ａ）、（Ｂ）は、図１に示すライン状照明装置の中空部材２として使用されるパンチングメタルに形成された小孔の例を示す図であり、同図は中空部材を平面状に展開した状態を示したものである。
例えば、図２（Ａ）に示す例では、孔の大きさが同じである小孔の設置密度が光の進行方向に向かって逓増するように複数の小孔が設けられている。また、例えば、図２（Ｂ）に示す例では、孔の大きさが光の進行方向に向かって逓増するように複数の小孔が設けられている。すなわち、本考案の第１の実施の形態においては、小孔の開孔面積が中空部材２内を伝送される光の進行方向に向かって逓増するように設けられている。
従って、中空部材２の奥に行くに従って外部に照射される光の量が減少することがない。その結果、ライン状照明装置からの光が照射される範囲の明るさを均一化することができる。
【００１１】
図３は、本考案の第２の実施の形態のライン状照明装置の構成を示す図であり、図１と同様、長手方向の軸を通る平面で切った断面図を示している。
図３に示すライン状照明装置は、図１に示すライン状照明装置と異なり、中空部材２の両端が開放されており、その開放された両端に光源１が設けられている。中空部材２の円周部分には複数の小孔が形成されている。２つの光源１から出た光は中空部材２の内面の鏡面２０で反射しながら中空部材２内を搬送され、中空部材２に形成された小孔から外部に放射される。
【００１２】
図４（Ａ）、（Ｂ）は、図３に示すライン状照明装置の中空部材２として使用されるパンチングメタルに形成された小孔の例を示す図である。図２と同様、同図は中空部材を平面状に展開した状態を示したものである。
例えば、図４（Ａ）に示す例では、孔の大きさが同じである小孔の設置密度が、図３に示す２つの光源１から出たそれぞれの光の進行方向に向かって逓増するように複数の小孔が設けられている。また、例えば、図４（Ｂ）に示す例では、小孔の大きさが、それぞれの光の進行方向に向かって逓増するように複数の小孔が設けられている。すなわち、本考案の第２の実施の形態においては、小孔の開孔面積が中空部材２内を伝送される光の進行方向に向かって逓増するように設けられている。従って、中空部材２の奥に行くに従って外部に照射される光の量が減少することがない。その結果、光が照射される範囲の明るさを均一化することができる。
【００１３】
図５は、本考案の第３の実施の形態のライン状照明装置の構成を示す図であり、図１と同様、長手方向の軸を通る平面で切った断面図を示している。
図５（Ａ）は本実施の形態の一本のライン状照明装置の構成を示し、同図（Ｂ）は同図（Ａ）に示したライン状照明装置を連結した場合の構成例を示す。
図５（Ａ）に示すライン状照明装置は、内面が鏡面２０で構成された、Ｌ字状の中空部材３−１を有する。すなわち、中空部材３−１は、その一方端が直角状に折り曲がっており、該折り曲げられた中空部材３−１の端部に光源１が設けられている。
また、中空部材３−１の光源が設けられていない側の円筒形状部分の円周には、複数の小孔が形成されている。この小孔の開孔面積は、前述したように中空部材３−１内を伝送される光の進行方向に向かって逓増するように形成されている。例えば前述した図２（Ａ）、（Ｂ）の例に示すような配置で小孔が設けられている。
光源１から出た光は中空部材３−１の内面の鏡面２０で反射しながら中空部材２内を搬送され、中空部材３−１に形成された小孔から外部に放射される。
図５（Ａ）に示すライン状照明装置は、単独でも使用することができるが、このライン状照明装置を図５（Ｂ）に示すように複数本連結して使用することより、任意の長さのライン状照明装置を構成することができる。
すなわち、図５（Ａ）に示すライン状照明装置において、図５（Ｂ）に示すように、中空部材３−１の上記小孔が形成された側の円筒形状部分の端面を互いに当接させて、ライン状に連結する。
本考案の第３の実施の形態によれば、複数の中空部材３−１を連結することによって、連結される中空部材３−１で構成される光伝送路を長くすることができる。その結果、広い範囲に光を照射することができる。更に、本考案の第３の実施の形態によれば、光の進行方向に向かって逓増するように小孔が設けられているのでライン状照明装置から照射される光の長手方向の明るさを均一化することができる。
【００１４】
図６は、本考案の第４の実施の形態のライン状照明装置の構成を示す図であり、図１と同様、長手方向の軸を通る平面で切った断面図を示している。
図６に示すライン状照明装置は、内面が鏡面２０で構成された、コ字状の中空部材３−２を有する。すなわち、中空部材３−２は、その両端が直角状に折り曲がっている。該折り曲げられた中空部材３−２の端部に光源１が設けられている。また、中空部材３−２の光源が設けられていない側の円筒形状部分の円周には、複数の小孔が形成されている。
この小孔の開孔面積は、前述したように中空部材２内を伝送される光の進行方向に向かって逓増するように形成されている。例えば前述した図４（Ａ）、（Ｂ）の例に示すような配置で小孔が設けられている。
光源１から出た光は中空部材２の内面の鏡面２０で反射しながら中空部材２内を搬送され、中空部材３−２に形成された小孔から外部に放射される。
図６（Ａ）に示すライン状照明装置は、単独でも使用することができるが、図５に示したものと同様、このライン状照明装置を図６（Ｂ）に示すように複数本連結して使用することより、任意の長さのライン状照明装置を構成することができる。
すなわち、図６（Ａ）に示すライン状照明装置において、図６（Ｂ）に示すように、中空部材３−２の上記小孔が形成された側の円筒形状部分の端面を互いに当接させて、ライン状に連結する。
本考案の第４の実施の形態によれば、複数の中空部材３−２を連結することによって、連結される中空部材３−２で構成される光伝送路を長くすることができる。その結果、広い範囲に光を照射することができる。
更に、本考案の第４の実施の形態によれば、光の進行方向に向かって逓増するように小孔が設けられているので、ライン状照明装置から照射される光の長手方向の明るさを均一化することができる。
【００１５】
図７（Ａ）、（Ｂ）は、図５、図６に示したライン状照明装置の変形例を示す図である。図５、図６に示すように、中空部材をＬ字状、コの字状に形成した場合、光源１から出た光の多くが中空部材の光源１に対向する内面で反射して光源側に戻ってしまい、光源１からの光を効率的に利用できないと考えられる。
そこで、図７（Ａ）に示す変形例では、図５又は図６に示すライン状照明装置における、中空部材３−１（３−２）の折り曲がり部分に、光源から出た光を光源１が設けられていない側の円筒形状の中空部材側に反射させるための斜めに配置された光反射板３０が設けられ、該光反射板３０には小孔が設けられている。
図７（Ａ）に示すように折り曲がり部分に光反射板３０を設けることによって、光源１から出た光が、図７（Ａ）中の矢印のように光反射板３０で反射して、中空部材３−１（３−２）の小孔が設けられた領域に進行する。その結果、光源１から出た光を効率的に利用することができる。また、光源１から出て光反射板３０に照射された光の一部は、図７（Ａ）中の矢印で示すように、該光反射板３０に設けられた小孔から後ろに抜ける。従って、上記光反射板３０の反射面の裏側の部分、すなわち、中空部材の連結部分が暗くなることを防止することができる。
【００１６】
一方、図７（Ｂ）に示す変形例では、図５又は図６に示すライン状照明装置における、中空部材３−１（３−２）の折り曲がり部分に、光源１から出た光を小孔が設けられた中空部材側に反射させるための斜めに配置された光反射板３１を設けるが、この変形例では、前記光反射板３０とは異なり、光反射板３１には小孔を設けない。
その代わり、連結される隣り合う中空部材の連結部分を、反射面ではなく光透過性のある光透過板３２で構成するか、中空部材３−１の円周部分と同様に複数の小孔を形成する。
図７（Ｂ）に示すように折り曲がり部分に光反射板３１を設けることによって、光源１から出た光が光反射板３１で反射して、中空部材の小孔が設けられた領域に進行する。その結果、光源１から出た光を効率的に利用することができる。また、連結された隣の中空部材内を搬送された光の一部が、図７（Ｂ）中の矢印で示すように光透過板３２あるいは、この部分に形成された小孔を透過して、中空部材に設けられた光反射板３１の後ろの領域に照射されるので、中空部材の連結部分が暗くなることを防止することができる。
【符号の説明】
【００１７】
１、１０３  光源
２、３−１、３−２、１００  中空部材
１０  光源用リフレクタ
２０  鏡面
３０、３１  光反射板
３２  光透過板
１０１  放光口
【図１】
0003150963.tif 000003
【図２】
0003150963.tif 000004
【図３】
0003150963.tif 000005
【図４】
0003150963.tif 000006
【図５】
0003150963.tif 000007
【図６】
0003150963.tif 000008
【図７】
0003150963.tif 000009
【図８】
0003150963.tif 000010